(57)【要約】【課題】画像を表示する表示装置とユーザとの距離及びユーザの視覚特性に基づき、ユーザに適した画像を表示出力する。【解決手段】画像処理サーバは、画像データに基づき画像を表示する表示装置に提供する画像データに対して、所定の処理を施す画像処理サーバであって、前記表示装置及び該表示装置が位置する所定のエリア内のユーザの位置情報を取得する取得手段と、前記ユーザ毎の視覚特性を記憶するユーザ特性記憶手段と、前記画像データを、前記取得手段により取得された前記位置情報に基づき特定される前記表示装置と前記ユーザとの距離と、前記ユーザ特性記憶手段により記憶される前記ユーザの視覚特性とに基づく表示態様を有する画像データに最適化する最適化手段とを有する。【選択図】図１０
2015046016.tif 000002
【特許請求の範囲】
【請求項１】
画像データに基づき画像を表示する表示装置に提供する画像データに対して、所定の処理を施す画像処理サーバであって、
前記表示装置及び該表示装置が位置する所定のエリア内のユーザの位置情報を取得する取得手段と、
前記ユーザ毎の視覚特性を記憶するユーザ特性記憶手段と、
前記画像データを、前記取得手段により取得された前記位置情報に基づき特定される前記表示装置と前記ユーザとの距離と、前記ユーザ特性記憶手段により記憶される前記ユーザの視覚特性とに基づく表示態様を有する画像データに最適化する最適化手段とを有する画像処理サーバ。
【請求項２】
前記距離と、前記視覚特性とに対応付けて定義された前記表示態様を記憶する表示態様記憶手段を有し、
前記最適化手段は、前記表示態様記憶手段により記憶される表示態様のうち、前記取得手段により取得された位置情報に基づく距離と、前記ユーザ特性記憶手段により記憶される前記視覚特性とに対応する表示態様を有する画像データに最適化する請求項１記載の画像処理サーバ。
【請求項３】
前記最適化手段は、
前記所定のエリア内に位置する一以上のユーザのそれぞれに対する前記表示態様のうち、最も見やすい表示態様を有する画像データに最適化する請求項１又は２記載の画像処理サーバ。
【請求項４】
前記表示装置は、前記ユーザ毎に所持される表示端末であって、
前記最適化手段は、前記表示端末を所持する、前記所定のエリア内に位置する一以上のユーザのそれぞれに対する前記表示態様を有する画像データに最適化し、
前記最適化手段により前記ユーザ毎に最適化された前記画像データを、該ユーザ毎の前記表示端末に送信する送信手段を有する請求項１又は２記載の画像処理サーバ。
【請求項５】
前記表示態様は、
前記画像データに含まれる文字のサイズである請求項１乃至４のいずれか一項に記載の画像処理サーバ。
【請求項６】
前記ユーザ特性記憶手段は、前記ユーザ毎の聴覚特性を記憶し、
前記所定のエリア内のユーザの前記聴覚特性に基づき、前記所定のエリア内に設置されたマイクを介した音声に基づく字幕データを取得する字幕データ手段と、
前記字幕データ取得手段により取得された前記字幕データを、前記表示装置に表示させる字幕データ表示手段とを有する請求項１乃至５のいずれか一項に記載の画像処理サーバ。
【請求項７】
前記取得手段は、
前記表示装置に取り付けられた無線端末及び前記ユーザに所持される無線端末の位置情報を取得する請求項１乃至６のいずれか一項に記載の画像処理サーバ。
【請求項８】
前記無線端末の位置情報は、当該無線端末が受信した、所定の場所に設置された配信装置からＩＭＥＳ規格に従って配信された該配信装置が設置された場所に対応する位置情報である請求項７記載の画像処理サーバ。
【請求項９】
画像データに基づき画像を表示する表示装置に提供する画像データに対して、所定の処理を施す一以上の情報処理装置から構成される画像処理システムであって、
前記表示装置及び該表示装置が位置する所定のエリア内のユーザの位置情報を取得する取得手段と、
前記ユーザ毎の視覚特性を記憶するユーザ特性記憶手段と、
前記画像データを、前記取得手段により取得された前記位置情報に基づき特定される前記表示装置と前記ユーザとの距離と、前記ユーザ特性記憶手段により記憶される前記ユーザの視覚特性とに基づく表示態様を有する画像データに最適化する最適化手段とを有する画像処理システム。
【請求項１０】
画像データに基づき画像を表示する表示装置に提供する画像データに対して、所定の処理を施す画像処理サーバにより実行されるプログラムであって、
前記画像処理サーバを、
前記表示装置及び該表示装置が位置する所定のエリア内のユーザの位置情報を取得する取得手段、
前記ユーザ毎の視覚特性を記憶するユーザ特性記憶手段、
前記画像データを、前記取得手段により取得された前記位置情報に基づき特定される前記表示装置と前記ユーザとの距離と、前記ユーザ特性記憶手段により記憶される前記ユーザの視覚特性とに基づく表示態様を有する画像データに最適化する最適化手段として機能させるプログラム。
【発明の詳細な説明】
【技術分野】
【０００１】
本発明は、画像処理サーバ、画像処理システム及びプログラムに関する。
【背景技術】
【０００２】
一般に、会議や講演等では、発表者がプロジェクタやディスプレイ等の表示装置に説明資料を表示させ、説明資料に基づき聴講者に対してプレゼンテーションを行う。しかしながら、聴講者の座席の位置や聴講者の視力等によっては、表示装置に表示された説明資料が見えづらかったり、視認できなかったりするといった問題がある。
【０００３】
そこで、特許文献１には、表示装置の利用者の顔映像に基づき、利用者の視認能力を判別し、その判別結果に基づいて前記表示装置にて表示すべき画像の一部を編集して表示する構成が開示されている。
【０００４】
一方、非特許文献１には、人の所持する無線端末のＧＰＳ受信機を用いて、ＧＰＳ衛星からの測位信号が受信できない屋内においても、測位を可能とする技術が開示されている。
【発明の概要】
【発明が解決しようとする課題】
【０００５】
しかしながら、特許文献１の技術では、利用者の年齢等によって異なる視認能力を判別できるが、その判別はあくまで顔映像に基づき推定された視認能力に基づくため、利用者の実際の視認能力と異なる場合があり、上記問題を解決できない。また、仮に利用者の実際の視認能力を推定できたとしても、例えば利用者と表示装置とが離れている場合、利用者が表示装置に表示される画像を視認できない場合が起こり得るといった問題を解決できない。
【０００６】
また、非特許文献１の技術では、屋内における測位を可能とするが、聴講者のユーザ属性に適した画像を提供するための技術に関連する記載はない。
【０００７】
本発明は、上記の点に鑑みてなされたものであって、画像を表示する表示装置とユーザとの距離及びユーザの視覚特性に基づき、ユーザに適した画像を表示出力することを目的とする。
【課題を解決するための手段】
【０００８】
そこで上記課題を解決するため、本発明の画像処理サーバは、画像データに基づき画像を表示する表示装置に提供する画像データに対して、所定の処理を施す画像処理サーバであって、前記表示装置及び該表示装置が位置する所定のエリア内のユーザの位置情報を取得する取得手段と、前記ユーザ毎の視覚特性を記憶するユーザ特性記憶手段と、前記画像データを、前記取得手段により取得された前記位置情報に基づき特定される前記表示装置と前記ユーザとの距離と、前記ユーザ特性記憶手段により記憶される前記ユーザの視覚特性とに基づく表示態様を有する画像データに最適化する最適化手段とを有する。
【発明の効果】
【０００９】
本発明によれば、画像を表示する表示装置とユーザとの距離及びユーザの視覚特性に基づき、ユーザに適した画像を表示出力できる。
【図面の簡単な説明】
【００１０】
【図１】本発明の第１の実施形態における画像処理システムのシステム構成の一例を示す図である。
【図２】本発明の第１の実施形態における無線ネットワークの構成の一例を示す図である。
【図３】本発明の第１の実施形態における位置情報管理サーバのハードウェア構成の一例を示す図である。
【図４】本発明の第１の実施形態におけるユーザ情報管理サーバのハードウェア構成の一例を示す図である。
【図５】本発明の第１の実施形態における位置情報管理サーバのハードウェア構成の一例を示す図である。
【図６】本発明の第１の実施形態における無線端末のハードウェア構成の一例を示す図である。
【図７】本発明の第１の実施形態における配信装置のハードウェア構成の一例を示す図である。
【図８】本発明の第１の実施形態における管理装置のハードウェア構成の一例を示す図である。
【図９】本発明の第１の実施形態における表示装置のハードウェア構成の一例を示す図である。
【図１０】本発明の第１の実施形態における画像処理システムの機能構成の一例を示す図である。
【図１１】本発明の第１の実施形態における位置情報記憶部の位置情報管理テーブルに記憶される情報の一例を示す図である。
【図１２】本発明の第１の実施形態におけるエリア情報記憶部のエリア情報管理テーブルに記憶される情報の一例を示す図である。
【図１３】本発明の第１の実施形態における無線端末関連情報記憶部の無線端末関連情報管理テーブルに記憶される情報の一例を示す図である。
【図１４】本発明の第１の実施形態における表示態様情報記憶部の表示態様情報管理テーブルに記憶される情報の一例を示す図である。
【図１５】本発明の第１の実施形態における聴講者と表示装置との距離の算出方法を説明するための図である。
【図１６】本発明の第１の実施形態におけるユーザ所有端末情報記憶部のユーザ所有端末情報管理テーブルに記憶される情報の一例を示す図である。
【図１７】本発明の第１の実施形態におけるユーザ属性情報記憶部のユーザ属性情報管理テーブルに記憶される情報の一例を示す図である。
【図１８】本発明の第１の実施形態における位置情報管理処理の動作手順の一例を示すシーケンス図である。
【図１９】本発明の第１の実施形態における画像データ最適化処理の動作手順の一例を示すシーケンス図である。
【図２０】本発明の第１の実施形態の画像データ最適化処理における位置情報管理サーバの処理手順の一例を示すフローチャート図である。
【図２１】本発明の第１の実施形態の画像データ最適化処理におけるユーザ情報管理サーバの処理手順の一例を示すフローチャート図である。
【図２２】本発明の第１の実施形態の画像データ最適化処理における画像処理サーバの処理手順の一例を示すフローチャート図である。
【図２３】本発明の第１の実施形態の変形例における画像処理システムのシステム構成の一例を示す図である。
【図２４】本発明の第１の実施形態の変形例における画像処理システムの動作手順の一例を示すシーケンス図である。
【図２５】本発明の第２の実施形態における画像処理システムのシステム構成の一例を示す図である。
【図２６】本発明の第２の実施形態における画像データ最適化処理の動作手順の一例を示すシーケンス図である。
【図２７】本発明の第２の実施形態の変形例における画像処理システムのシステム構成の一例を示す図である。
【図２８】本発明の第２の実施形態の変形例における画像処理システムの動作手順の一例を示すシーケンス図である。
【発明を実施するための形態】
【００１１】
以下、本発明の実施の形態（以下、実施形態という。）を図面に基づいて説明する。
〔第1の実施形態〕
[システム構成]
図１は、本発明の第１の実施形態における画像処理システムのシステム構成の一例を示す図である。
【００１２】
図１に示すように、本発明の第１の実施形態における画像処理システム１は、画像処理サーバ１００と、ユーザ情報管理サーバ２００と、位置情報管理サーバ３００と、無線端末４００ａ、４００ｂ、４００ｃ、４００ｄ（それぞれを区別しない場合「無線端末４００」という。）と、配信装置５００ａ、５００ｂ、５００ｃ、５００ｄ（それぞれを区別しない場合「配信装置５００」という。）と、管理装置６００と、表示装置７００と、投影用ＰＣ８００と、マイク１０００とを有する。なお、表示装置７００及び投影用ＰＣ８００には、それぞれ無線端末４００ｃ、４００ｄが取り付けられている（表示装置７００及び投影用ＰＣ８００に無線端末４００が内蔵されている場合を含む。）。なお、無線端末４００、配信装置５００及び管理装置６００は、図１に示した台数に限らず、任意の台数が存在してもよい。
【００１３】
また、無線端末４００と、配信装置５００と、管理装置６００とは、ＺｉｇＢｅｅ（登録商標）、Ｂｌｕｅｔｏｏｔｈ（登録商標）又はＷｉＦｉ（登録商標）（無線ＬＡＮ）等の無線通信規格に従う図２に示すような無線ネットワークＮ１を構成する。図２は、図１から無線ネットワークＮ１を構成する各装置を抜粋した無線ネットワークＮ１の構成の一例を示す図である。なお、図２において、各装置の配置と数は、図１と異なる。図２に示されるように、無線ネットワークＮ１は、例えば、メッシュ型のネットワークを構成し、管理装置６００を介して、位置情報管理サーバ３００が接続されたネットワークＮ１と接続される。
【００１４】
また、管理装置６００は、ＬＡＮ（Ｌｏｃａｌ  Ａｒｅａ  Ｎｅｔｗｏｒｋ）又はインターネット等の有線又は無線のネットワークＮ２に接続され、位置情報管理サーバ３００と通信が可能である。また、画像処理サーバ１００と、ユーザ情報管理サーバ２００と、位置情報管理サーバ３００とは、ネットワークＮ２に接続され、互いに通信が可能である。
【００１５】
また、投影用ＰＣ８００は、例えば無線ＬＡＮである無線ネットワークＮ３によりアクセスポイントＡＰを介して、ネットワークＮ２と接続する画像処理サーバ１００と互いに通信が可能である。なお、表示装置７００が無線ＬＡＮ通信機能を有する場合、表示装置７００はアクセスポイントＡＰを介して画像処理サーバ１００との通信が可能である。
【００１６】
本発明の第１の実施形態における画像処理システム１は、発表や説明のための電子的な資料が用いられる会議等において、画像を表示（投影）する表示装置７００と聴講者との距離及び聴講者のユーザ属性（視覚特性、聴覚特性）に基づき、画像の表示態様を最適化するシステムである。なお、本発明の第１の実施形態における画像の表示態様とは、画像に含まれる文字、図形、記号又はこれらの組合せ（文字等）において文字等のサイズ又は文字等の色彩をいう。また、視覚特性とは、例えば視力及び色覚の少なくともいずれか一方をいう。なお、画像処理システム１は、電子的な資料が説明等のために用いられる会合であれば、その呼称を問わずに適用できる。例えば、電子的な資料を用いた講演や電子的な参考書や教科書を資料とした勉強会、電子的な掲示板を資料とした意見交換会等に適用できる。
【００１７】
無線端末４００は、例えばＩＭＥＳ（Ｉｎｄｏｏｒ  ＭＥｓｓａｇｉｎｇ  Ｓｙｓｔｅｍ）のような配信装置５００から配信される屋内向けの測位信号を受信して、位置情報を取得可能な装置である。無線端末４００は、ユーザが所持する位置情報の管理対象に取り付けられる（又は内蔵される）、例えばＲＦＩＤ（Ｒａｄｉｏ  Ｆｒｅｑｕｅｎｃｙ  ＩＤｅｎｔｉｆｉｃａｔｉｏｎ）タグである。管理対象とは、例えばユーザが携行可能な物品であるＩＣカード若しくはスマートフォン、タブレット、ラップトップＰＣ、表示装置７００又は投影用ＰＣ８００等である。なお、表示装置７００及び投影用ＰＣ８００は、所定の場所に備え付けられて使用されてもよい。無線端末４００は、測位信号を受信して取得した位置情報を、無線ネットワークＮ１（すなわち配信装置５００及び管理装置６００）を介して、位置情報管理サーバ３００に送信する。ここで、例えば、無線ネットワークＮ１がＺｉｇＢｅｅによって形成される場合、無線端末４００は、ＺｉｇＢｅｅエンドポイントとしての機能（データの中継機能を持たず、末端の端末としてのみ動作する機能）を有する。なお、無線端末４００は、測位信号を受信し、受信した測位信号を位置情報管理サーバ３００に対して送信する機能を備えれば、ＲＦＩＤタグに限らない。
【００１８】
配信装置５００は、例えばＩＭＥＳのような屋内向けの測位信号を所定の領域（例えば図１の円錐）に配信する装置である。測位信号は、例えば、緯度、経度及びフロア等によって表される位置情報を含む。配信装置５００が送信する位置情報は、その配信装置５００が設置された位置を表す。測位信号が送信される所定の領域は、測位信号を送出する出力によって決定される。上述したように、配信装置５００は、無線端末４００及び管理装置６００とともに、無線ネットワークＮ１を形成し、無線端末４００からの通信を中継する機能を有する。例えば、無線ネットワークＮ１がＺｉｇＢｅｅによって構築される場合には、配信装置５００は、ＺｉｇＢｅｅルータとしての機能（ＺｉｇＢｅｅエンドポイント又は他のＺｉｇＢｅｅルータからのデータ中継機能）を有する。
【００１９】
管理装置６００は、無線ネットワークＮ１を管理し、無線端末４００及び配信装置５００とともに形成する無線ネットワークＮ１と、位置情報管理サーバ３００の接続されたネットワークＮ２とを相互に接続し、二つのネットワーク間で通信を変換する機能を有する装置である。例えば、無線ネットワークＮ１がＺｉｇＢｅｅによって構築される場合には、管理装置６００は、ＺｉｇＢｅｅコーディネータとしての機能（無線ネットワークの立ち上げと管理機能）を有する。
【００２０】
位置情報管理サーバ３００は、有線ＬＡＮ又は無線ＬＡＮによる通信機能、各無線端末４００から送信された位置情報を取得し、管理する位置情報管理機能を有するサーバ装置である。なお、画像処理サーバ１００は、無線端末４００の位置情報を、無線端末４００を一意に識別する識別情報（無線端末識別情報）毎に管理する。
【００２１】
画像処理サーバ１００は、聴講者の視覚特性及び聴講者と表示装置７００との距離に基づいて、画像データに基づく画像の表示態様を聴講者が見やすいように最適化する画像処理機能及び最適化した画像データを表示装置７００に送信する通信機能を有するサーバ装置である。なお、画像データは、電子的な資料であり、データの形式は問わない。画像データは、例えばＭＳ  ＰｏｗｅｒＰｏｉｎｔ（登録商標）、ＭＳ  Ｗｏｒｄ（登録商標）、ＭＳ  Ｅｘｃｅｌ（登録商標）、ＰＤＦ（Ｐｏｒｔａｂｌｅ  Ｄｏｃｕｍｅｎｔ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＴＩＦＦ（Ｔａｇｇｅｄ  Ｉｍａｇｅ  Ｆｉｌｅ  Ｆｏｒｍａｔ）又はＢｉｔｍａｐ形式のデータである。但し、データの形式は、上記に限らない。
【００２２】
ユーザ情報管理サーバ２００は、ユーザである聴講者のユーザ属性に関する情報の一つである視覚特性に関する情報（視覚特性情報）等を記憶し、ネットワークに接続されるＮＡＳ（Ｎｅｔｗｏｒｋ  Ａｔｔａｃｈｅｄ  Ｓｔｏｒａｇｅ）である。
【００２３】
なお、画像処理サーバ１００、ユーザ情報管理サーバ２００及び位置情報管理サーバ３００は、一台の装置に統合されてもよいし、これらの機能を分散して備える一台以上の情報処理装置により構成されるシステムであってもよい。例えば、画像処理サーバ１００が、ユーザ情報管理サーバ２００が有する機能を備えるように構成してもよい。
【００２４】
表示装置７００は、例えばプロジェクタ、液晶若しくは有機ＥＬ（Electro  Luminescence）等のディスプレイ等である。なお、図１には、例えば表示装置７００がプロジェクタ又はディスプレイである場合、表示装置７００が、プロジェクタ又はディスプレイに接続された投影用ＰＣ８００を介して画像処理サーバ１００から画像データを受信する構成となる例を示している。但し、プロジェクタ又はディスプレイが無線ＬＡＮ通信機能を備える場合、表示装置７００が無線ネットワークＮ３を介して直接、画像処理サーバ１００と通信を行ってもよい。なお、表示装置７００には、スマートフォン、タブレット又はラップトップＰＣ等の表示端末が含まれる。
【００２５】
投影用ＰＣ８００は、発表者による表示装置７００が表示出力する画面等の操作に用いられ、画像処理サーバ１００と通信を行う通信機能を有するクライアント端末である。なお、上述したように、表示装置７００が無線ネットワークＮ３を介した通信機能を有する場合、投影用ＰＣ８００は不要とする構成としてもよい。
【００２６】
[ハードウェア構成]
＜画像処理サーバ＞
図３は、本発明の第１の実施形態における画像処理サーバ１００のハードウェア構成の一例を示す図である。画像処理サーバ１００は、ＣＰＵ１１と、ＲＡＭ１２と、ＲＯＭ１３と、ＨＤＤ１４と、有線通信装置１５と、キーボード１６と、マウス１７と、ディスプレイ１８とを有する。
【００２７】
ＣＰＵ１１は、画像処理サーバ１００の動作を制御するプログラムを実行する。ＲＡＭ１２は、ＣＰＵ１１のワークエリアを構成する。ＲＯＭ１３は、画像処理サーバ１００のシステムプログラム等を記憶する。ＨＤＤ１４は、画像処理サーバ１００で実行されるアプリケーション等を記憶する。有線通信装置１５は、ＬＡＮに接続するためのＮＩＣ（Ｎｅｔｗｏｒｋ  Ｉｎｔｅｒｆａｃｅ  Ｃａｒｄ）である。キーボード１６及びマウス１７は、画像処理システム１の管理者等から入力を受け付ける装置である。ディスプレイ１８は、管理者等に対して情報を表示出力する装置である。バス１９は、上記装置を電気的に接続する。
【００２８】
上記構成により、本発明の第１の実施形態における画像処理サーバ１００は、画像データを加工し、表示態様を最適化する処理等を実行できる。
【００２９】
＜ユーザ情報管理サーバ＞
図４は、本発明の第１の実施形態におけるユーザ情報管理サーバ２００のハードウェア構成の一例を示す図である。ユーザ情報管理サーバ２００は、ＣＰＵ２１と、ＲＡＭ２２と、ＲＯＭ２３と、ＨＤＤ２４と、無線通信装置２５と、キーボード２６と、マウス２７と、ディスプレイ２８とを有する。また、バス２９は、上記装置を電気的に接続する。
【００３０】
なお、ＣＰＵ２１、ＲＡＭ２２、ＲＯＭ２３、ＨＤＤ２４、キーボード２６、マウス２７、ディスプレイ２８は、それぞれ図３に示したＣＰＵ１１、ＲＡＭ１２、ＲＯＭ１３、ＨＤＤ１４、キーボード１６、マウス１７、ディスプレイ１８に対応する。但し、ＲＯＭ２３がユーザ情報管理サーバ２００のシステムプログラムを記憶し、ＨＤＤ２４がユーザ属性に関する情報の一例であるユーザの視覚特性に関する情報を記憶する点が異なる。
【００３１】
上記構成により、本発明の第１の実施形態におけるユーザ情報管理サーバ２００は、ユーザの視覚特性情報を記憶できる。
【００３２】
＜位置情報管理サーバ＞
図５は、本発明の第１の実施形態における位置情報管理サーバ３００のハードウェア構成の一例を示す図である。位置情報管理サーバ３００は、ＣＰＵ３１と、ＲＡＭ３２と、ＲＯＭ３３と、ＨＤＤ３４と、無線通信装置３５と、キーボード３６と、マウス３７と、ディスプレイ３８とを有する。また、バス３９は、上記装置を電気的に接続する。
【００３３】
なお、ＣＰＵ３１、ＲＡＭ３３、ＲＯＭ３３、ＨＤＤ３４、キーボード３６、マウス３７、ディスプレイ３８は、それぞれ図３に示したＣＰＵ１１、ＲＡＭ１３、ＲＯＭ１３、ＨＤＤ１４、キーボード１６、マウス１７、ディスプレイ１８に対応する。但し、ＲＯＭ３３が位置情報管理サーバ３００のシステムプログラムを記憶し、ＨＤＤ３４が無線端末４００の位置情報を記憶する点が異なる。
【００３４】
上記構成により、本発明の第１の実施形態における位置情報管理サーバ３００は、無線端末４００が送信する位置情報を受信し、その位置情報を蓄積できる。
【００３５】
＜無線端末＞
図６は、本発明の第１の実施形態における無線端末４００のハードウェア構成の一例を示す図である。図６には、無線端末４００がＲＦＩＤタグである例を示している。無線端末４００は、ＣＰＵ４１と、ＲＡＭ４２と、ＲＯＭ４３と、無線通信装置４４と、測位信号受信装置４５とを有する。
【００３６】
ＣＰＵ４１は、無線端末４００の動作を制御するプログラムを実行する。ＲＡＭ４２は、ＣＰＵ４１のワークエリアを構成する。ＲＯＭ４４は、無線端末４００のシステムプログラム等を記憶する。無線通信装置４４は、例えば、ＺｉｇＢｅｅ又はＢｌｕｅｔｏｏｔｈにより、外部の装置と通信するための装置である。なお、任意の種類の無線通信装置４４が、複数設けられてもよい。また、無線端末４００がスマートフォンやタブレット等の携帯端末（表示端末）に内蔵されている場合等、無線通信装置４４は、４ＧやＬＴＥ等の移動通信網又はＷｉＦｉ等による通信を行う装置であってもよい。測位信号受信装置４５は、配信装置５００から送信された測位信号を受信する装置である。バス４６は、上記装置を電気的に接続する。
【００３７】
上記構成により、本発明の第１の実施形態における無線端末４００は、屋内において測位信号を受信し、位置情報を取得することができる。また、無線端末４００は、取得した位置情報を、無線ネットワークＮ１を介して、位置情報管理サーバ３００に送信することができる。
【００３８】
＜配信装置＞
図７は、本発明の第１の実施形態における配信装置５００のハードウェア構成の一例を示す図である。配信装置５００は、ＣＰＵ５１と、ＲＡＭ５２と、ＲＯＭ５３と、無線通信装置５４と、測位信号配信装置５５とを有する。
【００３９】
ＣＰＵ５１は、配信装置５００の動作を制御するプログラムを実行する。ＲＡＭ５２は、ＣＰＵ５１のワークエリア等を構成する。ＲＯＭ５３は、ＣＰＵ５１が実行するプログラムや、プログラムの実行に必要なデータを記憶する。無線通信装置５４は、無線端末５００及び管理装置６００と、無線ネットワークＮ１を介して通信するための装置である。測位信号配信装置５５は、無線端末５００が現在位置を取得するために用いる測位信号を送信する装置であり、例えば、ＩＭＥＳ規格により定義されたフレームフォーマットで測位信号を送信する。より具体的には、測位信号配信装置５５は、ＩＭＥＳ規格によって定義されるフレーム構造を有するデータを用いて、１．５ＧＨｚの搬送波を変調して信号を生成し、これをアンテナより送出する。バス５６は、上記装置を電気的に接続する。
【００４０】
上記構成により、本発明の第１の実施形態における配信装置５００は、所定の領域（無線端末４００）に測位信号を配信できる。また、配信装置５００は、無線端末４００と管理装置６００とにより無線ネットワークＮ１を構成し、無線端末４００から送信された位置情報を、他の配信装置５００又は管理装置６００に中継することができる。
【００４１】
＜管理装置＞
図８は、本発明の第１の実施形態における管理装置６００のハードウェア構成の一例を示す図である。管理装置６００は、ＣＰＵ６１と、ＲＡＭ６２と、ＲＯＭ６３と、無線通信装置６４と、有線通信装置６５とを有する。
【００４２】
ＣＰＵ６１は、管理装置６００の動作制御を行う。プログラムを実行する。ＲＡＭ６２は、ＣＰＵ６１のワークエリア等を構成する。ＲＯＭ６３は、ＣＰＵ６１が実行するプログラムや、プログラムの実行に必要なデータを記憶する。無線通信装置６４は、無線端末４００及び配信装置６００と、無線ネットワークＮ１を介して通信するための装置である。有線通信装置６５は、ＬＡＮに接続するためのＮＩＣである。バス６６は、上記装置を電気的に接続する。
【００４３】
上記構成により、本発明の第１の実施形態における管理装置６００は、無線端末４００と配信装置５００とにより構成される無線ネットワークＮ１と、ネットワークＮ２とを相互に接続することができる。
【００４４】
＜表示装置＞
図９は、本発明の実施の形態における表示装置７００のハードウェア構成の一例を示した図である。表示装置７００には無線端末４００が外部に取り付けられている。但し、無線端末４００が表示装置７００に内蔵されている構成でもよい。
【００４５】
図１１に示されるように、表示装置７００は、表示装置７００全体の動作を制御するＣＰＵ７１、基本入出力プログラムを記憶したＲＯＭ７２、ＣＰＵ７１のワークエリアとして使用されるＲＡＭ７３、フラッシュメモリ等の記録メディア７４ａに対するデータの読み出し又は書き込み（記憶）を制御するメディアドライブ７４を備えている。そして、メディアドライブ７４の制御に従って、既に記録されていたデータが読み出され又は新たにデータが書き込まれて記憶する記録メディア７４ａが着脱自在な構成となっている。
【００４６】
さらに、表示装置７００は、投影用ＰＣ８００とＶＧＡ接続又はＤＶＩ接続により通信を行う通信装置７５、光を透過させることで画像を出力する液晶パネル７６、ユーザに対する情報を表示する液晶や有機ＥＬ等のディスプレイ７７、ユーザからの入力を受け付けるインタフェースであるハードボタンやリモコン、ソフトキー等の入力部７８及び上記各部を電気的に接続するためのアドレスバスやデータバス等のバスライン７９を備えている。
【００４７】
上記構成により、本発明の第１の実施形態における表示装置７００は、画像データに基づく画像を表示出力できる。
【００４８】
＜投影用ＰＣ＞
本発明の第１の実施形態における投影用ＰＣ８００は、図３〜図５に示したハードウェア構成を備える構成であればよい。
【００４９】
[機能構成]
図１０は、本発明の第１の実施形態における画像処理システム１の機能構成の一例を示す図である。
【００５０】
＜配信装置＞
本発明の第１の実施形態における配信装置５００は、位置情報格納部５０１と、測位信号配信部５０２と、中継部５０３とを有する。各機能はＣＰＵ５１がプログラムを実行し、ハードウェアと協働することで実現される。
【００５１】
位置情報格納部５０１は、配信装置５００が設置される位置を表す位置情報を格納する。屋内に設置される配信装置５００の位置情報には、例えば、緯度、経度、フロア等の情報が含まれる。なお、位置情報は、上記に限らず、例えば建物の棟を示す情報等が含まれてもよい。
【００５２】
測位信号配信部５０２は、位置情報格納部５０１に格納された位置情報を含む測位信号を生成して、所定の領域に配信する。所定の領域は、測位信号配信装置５５からの電波の送信出力によって決定される。
【００５３】
中継部５０３は、無線端末４００から送信されたデータを、他の配信装置５００又は管理装置６００に中継する。中継されたデータは、その後、位置情報管理サーバ３００へと伝送される。中継部５０３は、無線ネットワークＮ１がＺｉｇＢｅｅによって構成される場合には、ＺｉｇＢｅｅルータの機能を提供する。
【００５４】
＜無線端末＞
本発明の第１の実施形態における無線端末４００は、測位信号受信部４０１と、位置情報抽出部４０２と、無線端末識別情報格納部４０３と、位置情報送信部４０４とを有する。各機能はＣＰＵ４１がプログラムを実行し、ハードウェアと協働することで実現される。
【００５５】
測位信号受信部４０１は、配信装置５００の測位信号配信部５０２から配信された測位信号を受信する。
【００５６】
位置情報抽出部４０２は、配信装置５００から送信された測位信号から、位置情報を抽出する。上述したように、位置情報は、緯度、経度、フロア等の情報を含む。
【００５７】
無線端末識別情報格納部４０３は、当該無線端末４００を一意に識別するための無線端末識別情報を格納する。無線端末識別情報は、例えばＭＡＣアドレスである。
【００５８】
位置情報送信部４０４は、位置情報抽出部４０２が取得した位置情報と、無線端末識別情報格納部４０３に格納された無線端末識別情報とを、位置情報管理サーバ３００に送信する。ここで、無線端末４００の位置情報及び無線端末識別情報は、まず無線ネットワークＮ１を介して、最寄りの配信装置５００に送信され、その後、他の配信装置５００又は管理装置６００を経由して、位置情報管理サーバ３００に伝送される。
【００５９】
＜管理装置＞
本発明の第１の実施形態における管理装置６００は、変換部６０１を有する。上記機能はＣＰＵ６１がプログラムを実行し、ハードウェアと協働することで実現される。なお、管理装置６００は、無線ネットワークＮ１がＺｉｇＢｅｅによって構成される場合には、ＺｉｇＢｅｅコーディネータとしての機能を提供する。
【００６０】
変換部６０１は、無線ネットワークＮ１を介して、無線端末４００又は配信装置５００から受信した位置情報及び無線端末識別情報を、位置情報管理サーバ３００が接続されたネットワークＮ２に適合する形式に変換する。そして、変換部６０１は、位置情報及び無線端末識別情報を、位置情報管理サーバ３００に送信する。
【００６１】
＜位置情報管理サーバ＞
本発明の第１の実施形態における位置情報管理サーバ３００は、位置情報受信部３０１と、位置情報記憶部３０２と、エリア情報記憶部３０３と、無線端末関連情報記憶部３０４と、位置情報管理部３０５とを有する。各機能はＣＰＵ３１がプログラムを実行し、ハードウェアと協働することで実現される。
【００６２】
位置情報受信部３０１は、無線端末４００から送信された、無線端末識別情報及び位置情報を受信する。そして、位置情報受信部３０１は、無線端末識別情報及び位置情報を、位置情報記憶部３０２に格納する。
【００６３】
位置情報記憶部３０２は、無線端末４００の無線端末識別情報毎に、無線端末４００から送信される位置情報とこれらの情報の受信時刻とを対応付けて位置情報管理テーブルに記憶する。図１１は、本発明の第１の実施形態における位置情報記憶部３０２の位置情報管理テーブルに記憶される情報の一例を示す図である。図１１（ａ）は、無線端末識別情報が「０１２３４５ａｂｃｄｅｆ」の位置情報管理テーブルである。図１１（ｂ）は、無線端末識別情報が「１１２３４５ａｂｃｄｅｆ」の位置情報管理テーブルである。このように、位置情報管理テーブルは、無線端末識別情報（無線端末４００）毎に存在する。なお、位置情報管理テーブルを無線端末４００毎のテーブルとするか又は一つのテーブルとするかは設計事項であり、いずれの構成であってもよい。図１１に示すように、位置情報管理テーブルは、無線端末４００の無線端末識別情報である「無線端末識別情報」、「受信時刻」、「緯度」、「経度」及び「フロア」のデータ項目を有する。「緯度」、「経度」及び「フロア」は、無線端末４００から送信される位置情報に含まれる情報である。「受信時刻」は、無線端末４００からの位置情報を受信した年月日時分秒を示す時刻である。
【００６４】
エリア情報記憶部３０３は、図１２に示すように、会議室等のエリアに対応する位置情報を記憶する。資産である投影用ＰＣ８００と無線端末４００との対応関係及び投影用ＰＣ８００の保管位置に関する情報を、エリア情報管理テーブルに記憶する。図１２は、本発明の第１の実施形態におけるエリア情報記憶部３０３のエリア情報管理テーブルに記憶される情報の一例を示す図である。エリア情報管理テーブルは、「エリアＩＤ」と「エリア名」と「エリア位置情報」に含まれる「フロア」、「東端」、「西端」、「南端」及び「北端」とのデータ項目を有する。「エリアＩＤ」は、エリア情報管理テーブルにおいてエリア名及びそのエリアに対応する位置情報等を一意に識別するための識別番号である。「エリア名」は、会議室等の場所を示すエリアの名称である。「エリア位置情報」は、エリアに対応する位置情報である。「フロア」は、エリアが属する建物内のフロア（階数）である。「東端」及び「西端」は、エリアの東側と西側との境界線を経度（東経）で表したものである。「南端」及び「北端」は、区域の南側と北側との境界線を緯度（北緯）で表したものである。すなわち、エリアの範囲は矩形で定義され得る。図１２の例では、エリアＩＤ「１」に対応するエリア名「会議室Ａ」は、北緯「３５．４８０９３」から北緯「３５．４８４５４」、東経「１３９．３２００３」から東経「１３９．３２１０２」の４つの線に囲まれた範囲であって、「２」階であることを示す。なお、本発明の実施の形態におけるエリアの位置（範囲）の定義は、上記の方法に限らず、例えば、複数の緯度及び経度を用いて三つ以上の辺を有する多角形等によって、エリアの範囲を定義してもよい。また、その他の方法として、エリアの範囲内に固定的に設置される配信装置５００の位置情報に基づき、その位置情報に対応する複数の点（緯度、経度）によりエリアの範囲を定義してもよい。
【００６５】
無線端末関連情報記憶部３０４は、図１３に示すように、無線端末識別情報（無線端末４００）毎に、無線端末４００が取り付けられ位置の管理対象となる物品に関する情報を、無線端末関連情報管理テーブルに記憶する。図１３は、本発明の第１の実施形態における無線端末関連情報記憶部３０４の無線端末関連情報管理テーブルに記憶される情報の一例を示す図である。図１３に示すように、無線端末関連情報管理テーブルは、無線端末４００を識別する「無線端末識別情報」、「位置管理対象カテゴリ」及び「位置管理対象名称」のデータ項目を有する。「位置管理対象カテゴリ」は、無線端末４００が取り付けられた位置管理対象の物品のカテゴリであり、例えば「表示装置」、「ＩＣカード」又は「スマートフォン」等の情報が設定される。「位置管理対象名称」は、無線端末４００が取り付けられた位置管理対象の物品の名称である。
【００６６】
位置情報管理部３０５は、画像処理サーバ１００からの位置情報取得要求を受け付けると、位置情報記憶部３０２、エリア情報記憶部３０３及び無線端末関連情報記憶部３０４を参照し、所定のエリア内に位置する無線端末４００の位置情報等を検索する。そして、位置情報管理部３０５は、検索した位置情報を含む位置情報取得要求応答を、画像処理サーバ１００に送信する。
【００６７】
＜画像処理サーバ＞
本発明の第１の実施形態における画像処理サーバ１００は、画像データ取得要求受付部１０１と、位置情報取得部１０２と、ユーザ属性情報取得部１０３と、画像データ記憶部１０４と、表示態様情報記憶部１０５と、最適化部１０６と、画像データ送信部１０７とを有する。各機能はＣＰＵ１１がプログラムを実行し、ハードウェアと協働することで実現される。
【００６８】
画像データ取得要求受付部１０１は、投影用ＰＣ８００（又は表示装置７００）からの画像データ取得要求を受け付ける。画像データ取得要求には、取得対象の画像データを識別する画像データＩＤと、投影用ＰＣ８００に取り付けられている無線端末４００の無線端末識別情報（投影用ＰＣ８００の無線端末識別情報）と、投影させる表示装置７００の名称である表示装置名とが含まれる。画像データ取得要求受付部１０１は、受け付けた画像データ取得要求に基づく処理の実行を、位置情報取得部１０２に指示する。
【００６９】
位置情報取得部１０２は、画像データ取得要求に含まれる投影用ＰＣ８００の無線端末識別情報及び表示装置名を含む位置情報取得要求を生成し、位置情報管理サーバ３００に送信する。そして、位置情報取得部１０２は、位置情報取得要求の応答として、投影用ＰＣ８００の位置するエリア（会議室）内に位置する無線端末４００の無線端末識別情報及び位置情報を取得する。次に、位置情報取得部１０２は、ユーザ属性情報取得部１０３に、取得したエリア内に位置する無線端末４００の無線端末識別情報及び位置情報を出力する。なお、無線端末識別情報は、無線端末４００が取り付けられた位置管理対象のカテゴリを示す情報と対応付けられている。すなわち、表示装置７００に取り付けられた無線端末４００であるか又はユーザが所持するＩＣカードやスマートフォン、タブレット等に取り付けられた無線端末４００であるかを判別できる。
【００７０】
ユーザ属性情報取得部１０３は、エリア内に位置する無線端末４００の無線端末識別情報を含むユーザ属性情報取得要求を生成し、ユーザ情報管理サーバ２００に送信する。ユーザ属性情報取得部１０３は、ユーザ属性情報取得要求の応答として、エリア内に位置する無線端末４００を所持する聴講者のユーザ属性情報（視覚特性及び聴覚特性）を取得する。ユーザ属性情報取得部１０３は、位置情報取得部１０２から通知されたエリア内に位置する無線端末４００の無線端末識別情報及び位置情報と、取得したユーザ属性情報とを、最適化部１０６に出力する。
【００７１】
画像データ記憶部１０４は、画像データを識別する画像データＩＤに対応付けて、画像データのデータ本体又はデータ本体の保存先ＵＲＬを記憶する。
【００７２】
表示態様情報記憶部１０５は、図１４に示すように、聴講者の視覚特性に対する聴講者から表示装置７００までの距離毎の表示態様に関する情報を、表示態様情報管理テーブルに記憶する。図１４は、本発明の第１の実施形態における表示態様情報記憶部１０５の表示態様情報管理テーブルに記憶される情報の一例を示す図である。図１４に示すように、表示態様情報管理テーブルには、視覚特性の一つである視力の五段階のランク（Ａ〜Ｅ）のそれぞれに対して、聴講者と表示装置７００との距離に応じた、画像データに含まれる表示態様である例えば文字サイズを定義している。図１４の例では、例えば視力「Ａ」、距離「１〜３ｍ」の場合、文字サイズは「６ｐｔ」となる。なお、表示態様である文字サイズは、表示装置７００がプロジェクタである場合、例えばプロジェクタが画像を投影するスクリーンの位置（距離）を考慮したサイズが設定される。なお、視覚特性（視力）のランク並びに距離の区分及び区分の数は、図１４に示した例に限らず、任意に設定できる。
【００７３】
最適化部１０６は、エリア内に位置する無線端末４００の位置情報に基づき、表示装置７００と聴講者との距離を算出する。距離の算出は、例えば図１５に示すように行われる。
【００７４】
図１５は、本発明の第１の実施形態において聴講者と表示装置７００との距離の算出方法を説明するための図である。図１５の例では、表示装置７００の位置（緯度，経度）は（ｘ１，ｙ１）、エリア（会議室）内に位置する聴講者は聴講者Ａ及び聴講者Ｂであり、聴講者Ａの位置は（ｘ２，ｙ２）、聴講者Ｂの位置は（ｘ３，ｙ３）である。最適化部１０６は、会議室内に位置する全ての聴講者（図１５の例では、聴講者Ａ、聴講者Ｂ）それぞれと表示装置７００との距離を算出する。
【００７５】
そして、最適化部１０６は、算出した距離とエリア内に位置する聴講者のユーザ属性（視覚特性、聴覚特性）とに基づき、画像データに含まれる表示態様の最適化する内容を決定する。具体的には、最適化部１０６は、表示態様情報記憶部１０５の表示態様情報管理テーブル（図１４）を参照し、視覚特性に含まれる視力に関する情報と算出した距離とに対応する文字サイズを決定する。次に、最適化部１０６は、画像データ取得要求に含まれる画像データＩＤに対応する画像データを画像データ記憶部１０４から取得し、画像データに含まれる表示態様（文字サイズ）が決定した文字サイズに変更された画像データを生成する。そして、最適化部１０６は、生成した（最適化した）画像データの送信処理を、画像データ送信部１０７に指示する。
【００７６】
画像データ送信部１０７は、最適化部１０６からの指示に基づき、画像データ取得要求を行った投影用ＰＣ８００に対して、アクセスポイントＡＰを介したネットワークＮ２及び無線ネットワークＮ３により、最適化された画像データを送信する。なお、画像データの送信先は、画像データ取得要求を行った投影用ＰＣ８００に限らず、表示装置７００が無線ネットワークＮ３を介した通信機能を備える場合、表示装置７００としてもよい。
【００７７】
＜ユーザ情報管理サーバ＞
本発明の第１の実施形態におけるユーザ情報管理サーバ２００は、ユーザ情報管理部２０１と、ユーザ所有端末情報記憶部２０２と、ユーザ属性情報記憶部２０３とを有する。各機能はＣＰＵ２１がプログラムを実行し、ハードウェアと協働することで実現される。
【００７８】
ユーザ情報管理部２０１は、ユーザ属性情報記憶部２０３及びユーザ所有端末情報記憶部２０２に記憶される情報の読出し、書込み処理を行う。また、ユーザ情報管理部２０１は、画像処理サーバ１００からのユーザ属性情報取得要求を受け付けた場合、ユーザ属性情報取得要求に含まれる無線端末識別情報に対応するユーザ（ユーザＩＤ）を、図１６に示すようなユーザ所有端末情報記憶部２０２から取得する。
【００７９】
図１６は、本発明の第１の実施形態におけるユーザ所有端末情報記憶部２０２のユーザ所有端末情報管理テーブルに記憶される情報の一例を示す図である。図１６に示すように、ユーザ所有端末情報管理テーブルには、ユーザを一意に識別する「ユーザＩＤ」に対応付けて、無線端末４００を一意に識別する「無線端末識別情報」、「無線端末取付物品」及び「アドレス情報」が記憶されている。「無線端末取付物品」は、無線端末４００が取り付けられた物品の名称である。「アドレス情報」は、無線端末取付物品が無線ネットワークＮ３を用いた通信機能を備える場合、すなわち無線端末取付物品が例えばスマートフォンやタブレット等の表示端末である場合のＩＰアドレス等のアドレス情報である。なお、アドレス情報は、ＩＰアドレスに限らず、ユーザの電子メールアドレス等であってもよい。
【００８０】
そして、ユーザ情報管理部２０１は、図１７に示すようなユーザ属性情報記憶部２０３から、取得したユーザＩＤに対応するユーザ属性情報（視覚特性、聴覚特性）を取得する。
【００８１】
図１７は、本発明の第１の実施形態におけるユーザ属性情報記憶部２０３のユーザ属性情報管理テーブルに記憶される情報の一例を示す図である。図１７に示すように、ユーザ属性情報管理テーブルには、「ユーザＩＤ」に対応付けて、ユーザ属性情報である「視覚特性」と「聴覚特性」とが記憶されている。「視覚特性」には、Ａ〜Ｅの五段階のランクで表示される「視力」と、Ａ及びＢの二段階のランクで表示される「色覚」とが含まれる。「聴覚特性」は、Ａ及びＢの二段階のランクで表示される「聴力」である。
【００８２】
そして、ユーザ情報管理部２０１は、無線端末識別情報に対応付けたユーザ属性情報（視覚特性、聴覚特性）を、ユーザ属性情報取得要求の応答として、画像処理サーバ１００に送信する。
【００８３】
＜投影用ＰＣ＞
本発明の第１の実施形態における投影用ＰＣ８００は、入力受付部８０１と、表示制御部８０２と、画像データ取得要求部８０３と、画像データ受信部８０４と、画像出力指示部８０５とを有する。各機能はＣＰＵがプログラムを実行し、ハードウェアと協働することで実現される。
【００８４】
入力受付部８０１は、マウスやキーボード等を制御し、ユーザからの情報の入力指示を受け付ける。
【００８５】
表示制御部８０２は、ディスプレイ等を制御し、ユーザに対する情報の表示出力を行う。
【００８６】
画像データ取得要求部８０３は、ユーザに指定された取得対象の画像データの画像データＩＤと、投影用ＰＣ８００に接続された投影に使用される表示装置７００の名称と、投影用ＰＣ８００に取り付けられた無線端末４００の無線端末識別情報とを含む画像データ取得要求を生成し、画像処理サーバ１００に送信する。なお、画像データ取得要求に含まれる画像データを特定するための情報は、画像データＩＤに限らず、例えば画像データの名称や画像データの保存先を示すＵＲＬ等であってもよい。
【００８７】
画像データ受信部８０４は、画像処理サーバ１００により送信される画像データを、無線ネットワークＮ３を介して受信する。
【００８８】
画像出力指示部８０５は、投影に使用する表示装置７００に対して、画像データの表示出力を指示する。
【００８９】
＜表示装置＞
本発明の第１の実施形態における表示装置７００は、画像出力部７０１を有し、ＣＰＵ７１がプログラムを実行し、ハードウェアと協働することで実現される。
【００９０】
画像出力部７０１は、投影用ＰＣ８００からの指示を受け付けると、画像データに基づく画像を表示出力する。
【００９１】
[処理の詳細]
本発明の第１の実施形態における画像処理システム１の処理は、無線端末４００の位置情報を位置情報管理サーバ３００が管理する「位置情報管理処理」と、表示態様が最適化された画像データを生成する「画像データ最適化処理」とに大別される。以下、「位置情報管理処理」と「画像データ最適化処理」とのそれぞれについて説明する。
【００９２】
（位置情報管理処理）
図１８は、本発明の第１の実施形態における位置情報管理処理の動作手順の一例を示すシーケンス図である。図１８を用いて、位置情報管理サーバ３００が、無線ネットワークＮ１を介して、無線端末４００の位置情報を取得する処理を説明する。ここで、無線端末４００が配信装置５００から以下の位置情報を含む測位信号を受信する例を説明する。
−緯度「３５．４６１００」、経度「１３９．３８０９５」、フロア「２」
ステップＳ１０１において、配信装置５００の測位信号配信部５０２は、上記位置情報を含む測位信号を、所定の領域に送信し続ける。
【００９３】
ステップＳ１０２において、無線端末４００の測位信号受信部４０１は、配信装置５００の測位信号配信部５０２から送信された測位信号を受信する。
【００９４】
ステップＳ１０３において、無線端末４００の位置情報抽出部４０２は、ステップＳ１０２で受信した測位信号に含まれる位置情報を抽出する。この場合、無線端末４００が受信した位置情報は、以下の通りとなる。
−緯度「３５．４６１００」、経度「１３９．３８０９５」、フロア「２」
ステップＳ１０４において、無線端末４００の位置情報送信部４０４は、無線端末識別情報格納部４０３に格納された無線端末識別情報とともに、上記位置情報を、無線ネットワークＮ１を介して、配信装置５００に送信する。ここで、無線端末４００の無線端末識別情報は、以下の通りであるものとする。
−「０１２３４５ａｂｃｄｅｆ」
なお、ステップＳ１０４における位置情報の送信動作は、所定の周期（例えば１秒〜５秒周期）で行われる。また、無線端末４００が慣性センサ（加速度センサ、ジャイロセンサ、地磁気センサ等）を備えている場合、無線端末４００の動作の検知時に、位置情報の送信動作を実行するようにしてもよい。
【００９５】
ステップＳ１０５において、配信装置５００の中継部５０３は、無線端末４００から受信した位置情報と無線端末識別情報とを、管理装置６００に中継する。
【００９６】
ステップＳ１０６において、管理装置６００の変換部６０１は、配信装置５００の属する無線ネットワークＮ１から送信された通信データを、位置情報管理サーバ３００が接続されるネットワークに適合する形式に変換する。
【００９７】
ステップＳ１０７において、位置情報管理サーバ３００の位置情報受信部３０１は、配信装置５００と管理装置６００とを介して伝送された、以下の無線端末４００の位置情報と無線端末識別情報とを受信する。
−位置情報：緯度「３５．４６１００」、経度「１３９．３８０９５」、フロア「２」
−無線端末識別情報：「０１２３４５ａｂｃｄｅｆ」
ステップＳ１０８において、位置情報管理サーバ３００の位置情報記憶部３０２は、ステップＳ１０７で受信した位置情報と無線端末識別情報とを、その受信時刻、例えば「２０１３／６／２６  １０：００：０５」とともに格納する。
【００９８】
上記動作手順により、本発明の第１の実施形態における位置情報管理サーバ３００は、無線端末４００の現在位置を管理することができる。
【００９９】
なお、位置情報管理処理は、後述する画像データ最適化処理に依存せず、独立して実行される処理である。
【０１００】
（画像データ最適化処理）
図１９は、本発明の第１の実施形態における画像データ最適化処理の動作手順の一例を示すシーケンス図である。図１９の例では、投影用ＰＣ８００及び表示装置７００には、無線端末４００が取り付けられている。
【０１０１】
ステップＳ２０１において、発表者は投影用ＰＣ８００を操作し、表示装置７００に表示出力させる資料（画像データ）の画像データＩＤ及び使用する表示装置７００の名称（表示装置名）を指定する。投影用ＰＣ８００の入力受付部８０１は、ユーザにより入力された情報を、画像データ取得要求部８０３に出力する。
【０１０２】
ステップＳ２０２において、画像データ取得要求部８０３は、ユーザに指定された画像データＩＤ及び表示装置名と、投影用ＰＣ８００の無線端末識別情報とを含む画像データ取得要求を生成し、無線ネットワークＮ３を介して、画像処理サーバ１００に送信する。
【０１０３】
ステップＳ２０３において、画像データ取得要求を受け付けた画像処理サーバ１００の画像データ取得要求受付部１０１は、画像データ取得要求に基づく処理の実行を位置情報取得部１０２に要求する。位置情報取得部１０２は、投影用ＰＣ８００が設置されたエリア（会議室）内の無線端末４００の位置情報を取得するための位置情報取得要求を生成し、位置情報管理サーバ３００に送信する。なお、位置情報取得要求には、投影用ＰＣ８００の無線端末識別情報と表示装置名とが含まれる。
【０１０４】
ステップＳ２０４において、位置情報取得要求を受信した位置情報管理サーバ３００の位置情報管理部３０５は、位置情報記憶部３０２、エリア情報記憶部３０３、無線端末関連情報記憶部３０４を参照し、投影用ＰＣ８００が設置されたエリアに含まれる無線端末識別情報と対応する位置情報とを検索する。なお、検索された無線端末識別情報のそれぞれは、位置管理対象カテゴリ（表示装置、ＩＣカード等）が対応付けられている。
【０１０５】
ステップＳ２０５において、位置情報管理部３０５は、投影用ＰＣ８００が設置されたエリアに含まれる位置管理対象カテゴリが対応付けられた無線端末識別情報と対応する位置情報とを含む位置情報取得要求応答を、画像処理サーバ１００に送信する。
【０１０６】
画像処理サーバ１００の位置情報取得部１０２は、ユーザ属性情報取得部１０３に、位置情報取得要求応答に含まれる無線端末識別情報を有する無線端末４００を所有する閲覧者のユーザ属性情報の取得処理の実行を要求する。
【０１０７】
ステップＳ２０６において、ユーザ属性情報取得部１０３は、位置情報取得要求応答に含まれる無線端末識別情報を含むユーザ属性情報取得要求を生成し、ユーザ情報管理サーバ２００に送信する。
【０１０８】
ステップＳ２０７において、ユーザ属性情報取得要求を受信したユーザ情報管理サーバ２００のユーザ情報管理部２０１は、ユーザ所有端末情報記憶部２０２及びユーザ属性情報記憶部２０３を参照し、ユーザ属性情報取得要求に含まれる無線端末識別情報を所有するユーザのユーザ属性情報（視覚特性、聴覚特性）を検索する。
【０１０９】
ステップＳ２０８において、ユーザ情報管理部２０１は、ユーザ属性情報取得要求応答として、検索したユーザ属性情報（視覚特性、聴覚特性）に無線端末識別情報を対応付けて、画像処理サーバ１００に送信する。
【０１１０】
画像処理サーバ１００のユーザ属性情報取得部１０３は、ユーザ属性情報取得要求応答を受け付けると、最適化部１０６に画像データの表示態様の最適化処理の実行を要求する。
【０１１１】
ステップＳ２０９において、最適化部１０６は、上記ステップＳ２０５で取得した表示装置７００の位置情報と表示装置７００以外のユーザ（閲覧者）の位置情報とに基づき、例えば図１５の例のように、表示装置７００と閲覧者との距離を算出する。
【０１１２】
ステップＳ２１０において、最適化部１０６は、算出した距離と、上記ステップＳ２０８で取得したユーザ属性情報とに基づき、表示態様情報記憶部１０５を参照し、最適化する表示態様を決定する。なお、エリア（会議室）内に、複数の聴講者が存在する場合、最も見やすい表示態様、例えば文字サイズが最も大きい値を、最適化する表示態様として決定する。なお、複数の聴講者が存在する場合、各聴講者毎に決定された表示態様の平均値を、最適化する表示態様に用いてもよい。
【０１１３】
ステップＳ２１１において、最適化部１０６は、決定した表示態様に基づき、画像データ記憶部１０４に記憶される、上記ステップＳ２０２で受信した画像データＩＤに対応する画像データに含まれる表示態様が最適化（変更）された画像データを生成する。
【０１１４】
ステップＳ２１２において、画像データ送信部１０７は、最適化部１０６により最適化された画像データを、投影用ＰＣ８００に送信する。
【０１１５】
投影用ＰＣ８００の画像データ受信部８０４は、画像データを受信すると、画像出力指示部８０５に画像データを受信したことを通知する。
【０１１６】
ステップＳ２１３において、画像出力指示部８０５は、使用する表示装置７００に対して、画像表示出力指示を送信する。
【０１１７】
ステップＳ２１４において、表示装置７００の画像出力部７０１は、投影用ＰＣ８００からの画像表示出力指示を受け付けると、画像データに基づく画像を表示出力する。
【０１１８】
上記動作手順により、本発明の第１の実施形態における画像処理システム１は、会議等におけるエリア（会議室）内の聴講者と表示装置７００との距離及び聴講者のユーザ属性（視覚特性、聴覚特性）に基づき、表示装置７００により表示出力される画像データに含まれる表示態様を最適化できる。
【０１１９】
次に、画像データ最適化処理において位置情報管理サーバ３００、ユーザ情報管理サーバ２００及び画像処理サーバ１００が実行する処理手順の詳細を、それぞれ図２０、図２１、図２２に基づき説明する。
【０１２０】
＜位置情報管理サーバ＞
以下において説明する位置情報管理サーバ３００が実行する処理は、図１９に示したステップＳ２０４の処理に相当する。
【０１２１】
図２０は、本発明の第１の実施形態の画像データ最適化処理における位置情報管理サーバ３００の処理手順の一例を示すフローチャート図である。
【０１２２】
ステップＳ３０１において、位置情報管理サーバ３００の位置情報管理部３０５は、画像処理サーバ１００からの位置情報取得要求を受信する。位置情報取得要求には、投影用ＰＣ８００の無線端末識別情報及び表示装置名が含まれている。
【０１２３】
ステップＳ３０２において、位置情報管理部３０５は、位置情報記憶部３０２の位置情報管理テーブルから投影用ＰＣ８００の位置情報を検索する。
【０１２４】
ステップＳ３０３において、位置情報管理部３０５は、エリア情報記憶部３０３のエリア情報管理テーブルから投影用ＰＣ８００が位置するエリアを特定し、エリアの位置情報を読み出す。具体的には、上記ステップＳ３０２で検索した投影用ＰＣ８００の位置情報が含まれる、エリア情報管理テーブル（図１２）の「エリア位置情報」に対応するエリアを特定する。そして、特定したエリアの「エリア位置情報」を読み出す。
【０１２５】
ステップＳ３０４において、位置情報管理部３０５は、位置情報記憶部３０２の位置情報管理テーブルから上記ステップＳ３０３で読み出した「エリア位置情報」に含まれる無線端末識別情報を検索する。
【０１２６】
ステップＳ３０５において、位置情報管理部３０５は、無線端末関連情報記憶部３０４の無線端末関連情報管理テーブルから、上記ステップＳ３０４で検索した無線端末識別情報に対応する位置管理対象カテゴリを特定する。なお、特定した結果、位置管理対象カテゴリに「表示装置」が複数存在した場合、位置情報取得要求に含まれていた「表示装置名」に対応する無線端末識別情報を、使用する表示装置７００として特定する。
【０１２７】
ステップＳ３０６において、位置情報管理部３０５は、画像処理サーバ１００に対して、投影用ＰＣ８００が位置したエリアに含まれる無線端末識別情報及び位置情報を含む位置情報取得要求応答を送信する。なお、位置情報取得要求応答に含まれる無線端末識別情報は、使用する表示装置７００とそれ以外の位置管理対象とが区別可能なように位置管理対象カテゴリ（又は位置管理対象名称）が対応付けられている。
【０１２８】
＜ユーザ情報管理サーバ＞
以下において説明するユーザ情報管理サーバ２００が実行する処理は、図１９に示したステップＳ２０７の処理に相当する。
【０１２９】
図２１は、本発明の第１の実施形態の画像データ最適化処理におけるユーザ情報管理サーバ２００の処理手順の一例を示すフローチャート図である。
【０１３０】
ステップＳ４０１において、ユーザ情報管理サーバ２００のユーザ情報管理部２０１は、画像処理サーバ１００からのユーザ属性情報取得要求を受信する。ユーザ属性情報取得要求には、投影用ＰＣ８００の位置するエリア内の無線端末識別情報が含まれている。
【０１３１】
ステップＳ４０２において、ユーザ情報管理部２０１は、ユーザ所有端末情報記憶部２０２のユーザ所有端末情報管理テーブルから、ユーザ属性情報取得要求に含まれる無線端末識別情報に対応するユーザＩＤを特定する。
【０１３２】
ステップＳ４０３において、ユーザ情報管理部２０１は、ユーザ属性情報記憶部２０３のユーザ属性情報管理テーブルから、上記ステップＳ４０２で特定したユーザＩＤに対応するユーザ属性情報（視覚特性、聴覚特性）を読み出す。
【０１３３】
ステップＳ４０４において、ユーザ情報管理部２０１は、画像処理サーバ１００に対して、無線端末識別情報が対応付けられたユーザ属性情報を送信する。
【０１３４】
＜画像処理サーバ＞
図２２は、本発明の第１の実施形態の画像データ最適化処理における画像処理サーバ１００の処理手順の一例を示すフローチャート図である。
【０１３５】
ステップＳ５０１において、画像処理サーバ１００の画像データ取得要求受付部１０１は、投影用ＰＣ８００からの画像データ取得要求を受信する。なお、画像データ取得要求には、画像データＩＤ、投影用ＰＣ８００の無線端末識別情報及び表示装置名が含まれている。
【０１３６】
ステップＳ５０２において、位置情報取得部１０２は、位置情報管理サーバ３００から、投影用ＰＣ８００が位置するエリア(会議室)内の表示装置７００及び聴講者の無線端末識別情報と位置情報とを取得する。
【０１３７】
ステップＳ５０３において、ユーザ情報取得部１０２は、ユーザ情報管理サーバ２００から、上記ステップＳ５０２で取得した無線端末識別情報に対応付けられたユーザ属性情報を取得する。
【０１３８】
ステップＳ５０４において、最適化部１０６は、上記ステップＳ５０２で取得した表示装置７００及び聴講者の位置情報に基づき、表示装置７００と聴講者との間の距離を算出する（図１５参照）。
【０１３９】
ステップＳ５０５において、最適化部１０６は、表示態様情報記憶部１０５の表示態様情報管理テーブルから、上記ステップＳ５０３で取得したユーザ属性情報と上記ステップＳ５０４で算出した距離とに基づき、最適化する表示態様を決定する。なお、エリア内に複数の無線端末４００（聴講者）が存在し、最適化する表示態様が複数ある場合、最も見やすい表示態様（例えば文字サイズが大きい）を、最適化する表示態様として決定する。
【０１４０】
ステップＳ５０６において、最適化部１０６は、画像データ記憶部１０４を参照し、上記ステップＳ５０１で受信した画像データ取得要求に含まれる画像データＩＤに対応する画像データを読み出す。
【０１４１】
ステップＳ５０７において、最適化部１０６は、上記ステップＳ５０５で決定した表示態様に基づき、上記ステップＳ５０６で読み出した画像データに含まれる表示態様が変更された画像データを生成する。なお、画像データが複数ページから構成される場合、１ページ毎に表示態様の最適化処理が実行される。
【０１４２】
ステップＳ５０８において、画像データ送信部１０７は、投影用ＰＣ８００に対して、上記ステップＳ５０７で生成した、最適化された画像データを送信する。
【０１４３】
上述したように、本発明の第１の実施形態の画像処理システム１によれば、位置情報管理サーバ３００が無線端末４００の位置情報を管理することで、無線端末４００を所持するユーザ（聴講者）及び無線端末４００が取り付けられた表示装置７００、投影用ＰＣ８００等の装置の位置情報を管理する。また、画像処理サーバ１００は、位置情報管理サーバ３００から、会議が行われるエリア（会議室）内の聴講者及び表示装置７００の位置情報を取得する。そして、画像処理サーバ１００は、会議室内の表示装置７００と聴講者との距離と、聴講者のユーザ属性（視覚特性、聴覚特性）とに基づき、表示装置７００に表示出力させる画像の表示態様を最適化できる。具体的には、画像処理サーバ１００が、画像データに含まれる表示態様（文字サイズ等）を変更（拡大等）し、例えば文字サイズが拡大された画像データを生成する。そして、表示装置７００は、表示態様が最適化されるように生成された画像データに基づく画像を表示出力する。
【０１４４】
このように、会議等において表示装置７００により表示出力された画像の文字サイズを、会議室内の聴講者の視力等の視覚特性によって、自動的に最適なサイズに調整することができる。発表者は、説明資料（画像）の拡大等を行う手間を省くことができる。
【０１４５】
また、本発明の第１の実施形態における画像処理システム１によれば、画像処理サーバ１００が実行する最適化処理は、例えば画像の文字のみが拡大された画像データを生成する。
【０１４６】
これにより、例えば、画像全体（例えば文字とグラフ（図形）とが含まれるような資料）を拡大すると、スクリーンやディスプレイからはみ出した画像の一部が見えなくなったり、拡大を必要としない図形部分まで拡大することで見えづらくなったりするのを回避できる。
〔第１の実施形態の変形例〕
本発明の第１の実施形態の変形例における画像処理システム１は、聴講者のユーザ属性情報の一つである聴覚特性に基づき、発表者の声等の音声の聞き取りが困難な場合、表示装置７００に音声に対応する字幕を表示出力させる。
【０１４７】
図２３は、本発明の第１の実施形態の変形例における画像処理システム１のシステム構成の一例を示す図である。図２３に示すように、図１に示した画像処理システム１から、ネットワークＮ２に接続される音声処理サーバ１１００をさらに備える。
【０１４８】
音声処理サーバ１１００は、マイク１０００と接続され、発表者がマイクを用いて発する音声に基づき、字幕データを生成する機能を有する。なお、音声処理サーバ１１００のハードウェア構成は、画像処理サーバ１００と同じハードウェア構成（図３参照）であればよい。
【０１４９】
図２４は、本発明の第１の実施形態の変形例における画像処理システム１の動作手順の一例を示すシーケンス図である。なお、図２４において、図１９の本発明の第１の実施形態の画像処理システム１のシーケンス図に示した処理と同一の処理には同一のステップ番号を付与しており、これらの詳細な説明は省略する。
【０１５０】
変形例では、図１９に示した処理に、ステップＳ２１５〜Ｓ２１９の処理が追加されている。
【０１５１】
ステップＳ２１５において、画像処理サーバ１００は、上記ステップＳ２０８で取得したユーザ属性情報に含まれる聴覚特性（聴力）に基づき、字幕データの生成を行うか否かを判定する。具体的には、取得した聴覚特性の中に、音声の聞き取りが困難なことを示す情報が含まれている場合、字幕データの生成を行うと判定する。なお、この判定処理は、最適化部１０６により実行される。
【０１５２】
ステップＳ２１６において、画像処理サーバ１００から音声処理サーバ１１００に字幕データ取得要求が送信される。
【０１５３】
ステップＳ２１７において、音声処理サーバ１１００は、マイク１０００が収集した音声に基づき、字幕データを生成する。なお、字幕データの生成は、一般的な音声認識機能及び音声テキスト変換機能を有するソフトウェアが用いられればよい。
【０１５４】
ステップＳ２１８において、音声処理サーバ１１００から画像処理サーバ１００に生成された字幕データを含む字幕データ取得要求応答が送信される。
【０１５５】
ステップＳ２１９において、画像処理サーバ１００は、投影用ＰＣ８００に対して、字幕データを送信する。以降、投影用ＰＣ８００は、表示装置７００に字幕データを表示出力させる。
【０１５６】
上述したように、第１の実施形態の変形例の画像処理システム１によれば、会議室内の聴講者の聴覚特性に基づき、発表者の音声をテキスト（字幕）に変換させた情報を、表示装置７００に表示出力させることができる。
〔第２の実施形態〕
本発明の第２の実施形態における画像処理システム１は、ユーザ（聴講者）が所持するスマートフォン、タブレット又はラップトップＰＣ等の表示端末の画面に表示される画像の表示態様を最適化する。
【０１５７】
図２５は、本発明の第２の実施形態における画像処理システム１のシステム構成の一例を示す図である。第１の実施形態の画像処理システム１のシステム構成（図１参照）との相違点は、第２の実施形態では、ユーザ（聴講者）により無線端末４００が取り付けられた表示端末９００が所持される点である。
【０１５８】
表示端末９００は、無線ネットワークＮ３を介した無線ＬＡＮ等の通信機能を備え、画像データに基づき画像を表示する電子機器である。表示端末９００は、例えばスマートフォン、タブレット又はラップトップＰＣ等である。なお、表示端末９００は、表示装置７００の一例である。
【０１５９】
次に、第２の実施形態における画像データ最適化処理について説明する。なお、位置情報管理処理は、第１の実施形態の場合（図１８参照）と同じである。
【０１６０】
図２６は、本発明の第２の実施形態における画像データ最適化処理の動作手順の一例を示すシーケンス図である。なお、図２６において、図１９の本発明の第１の実施形態の画像処理システム１のシーケンス図に示した処理と同一の処理には同一のステップ番号を付与しており、これらの詳細な説明は省略する。
【０１６１】
ステップＳ２０８ａにおいて、ユーザ情報管理サーバ２００のユーザ情報管理部２０１は、ユーザ属性情報に加えて、ユーザ所有端末情報記憶部２０２のユーザ所有端末情報管理テーブル（図１６参照）に記憶される聴講者が所持する表示端末９００の「アドレス情報」を、画像処理サーバ１００に送信する。
【０１６２】
ステップＳ２１１ａにおいて、最適化部１０６部は、ユーザ毎のユーザ属性情報に基づき表示態様が最適化された画像データを生成する。
【０１６３】
ステップＳ２１２ａにおいて、画像データ送信部１０７は、上記ステップＳ２０８ａで受信した表示端末９００の「アドレス情報」を送信先アドレスに対して、上記ステップＳ２１１ａでユーザ毎に生成された最適化された画像データを送信する。
【０１６４】
ステップＳ２１４ａにおいて、表示端末９００は、受信した画像データに基づき、ユーザ毎に最適化された画像データを表示出力する。
【０１６５】
上述したように、第２の実施形態の画像処理システム１によれば、画像処理サーバ１００は、各ユーザのユーザ属性情報（視覚特性、聴覚特性）に基づき表示態様が最適された画像データをユーザ毎に生成することができる。そして、画像処理サーバ１００は、生成した最適化された画像データを、ユーザが所持する表示端末９００毎に送信し、表示端末９００はユーザ毎に最適化された画像データに基づく画像を表示出力できる。
【０１６６】
したがって、ユーザは、各自に最適化された見やすい画像を、各自が所持する表示端末９００を用いて閲覧できる。
〔第２の実施形態の変形例〕
本発明の第２の実施形態の変形例における画像処理システム１は、聴講者の視覚特性に基づき、例えば画像の視認が困難な場合、表示端末９００に発表者の音声をテキスト化した音声議事録データを送信する。
【０１６７】
図２７は、本発明の第２の実施形態の変形例における画像処理システム１のシステム構成の一例を示す図である。図２７に示すように、図２５に示した第２の実施形態の画像処理システム１から、ネットワークＮ２に接続される音声処理サーバ１１００をさらに備える。
【０１６８】
音声処理サーバ１１００は、マイク１０００と接続され、発表者がマイクを用いて発する音声に基づき、音声議事録データを生成する機能を有する。
【０１６９】
図２８は、本発明の第２の実施形態の変形例における画像処理システム１の動作手順の一例を示すシーケンス図である。なお、図２８において、図２６の本発明の第２の実施形態の画像処理システム１のシーケンス図に示した処理と同一の処理には同一のステップ番号を付与しており、これらの詳細な説明は省略する。
【０１７０】
変形例では、図２６に示した処理に、ステップＳ２１５ａ〜Ｓ２２０ａの処理が追加されている。また、図２８の例では、図２６に示したステップＳ２１２〜Ｓ２１４の処理は省略している。
【０１７１】
ステップＳ２１５ａにおいて、画像処理サーバ１００は、上記ステップＳ２０８で取得したユーザ属性情報に含まれる視覚特性（視力）に基づき、音声議事録データの生成を行うか否かを判定する。具体的には、ユーザ毎の視覚特性が、画像の視認が困難なことを示す情報を含む場合、そのユーザのための音声議事録データの生成を行うと判定する。なお、この判定処理は、最適化部１０６により実行される。
【０１７２】
ステップＳ２１６ａにおいて、画像処理サーバ１００から音声処理サーバ１１００に音声議事録データ取得要求が送信される。
【０１７３】
ステップＳ２１７ａにおいて、音声処理サーバ１１００は、マイク１０００が収集した音声に基づき、音声議事録データを生成する。なお、音声議事録データの生成は、一般的な音声認識機能及び音声テキスト変換機能を有するソフトウェアが用いられればよい。
【０１７４】
ステップＳ２１８ａにおいて、音声処理サーバ１１００から画像処理サーバ１００に生成された音声議事録データを含む音声議事録データ取得要求応答が送信される。
【０１７５】
ステップＳ２１９ａにおいて、画像処理サーバ１００は、上記ステップＳ２１５ａにおいて音声議事録データの生成を要するユーザが所持する表示端末９００に対して、音声議事録データを送信する。
【０１７６】
ステップＳ２２０ａにおいて、表示端末９００は、音声議事録データを保存したり、再生したりする。
【０１７７】
上述したように、第１の実施形態の変形例の画像処理システム１によれば、会議室内の聴講者の視覚特性に基づき、発表者の音声をテキスト（音声議事録）に変換させた情報を、表示端末９００に送信することができる。
【０１７８】
以上、本発明の実施形態について詳述したが、本発明はかかる特定の実施の形態に限定されるものではなく、特許請求の範囲に記載された本発明の要旨の範囲内において、種々の変形、変更が可能である。
【符号の説明】
【０１７９】
１        画像処理システム
１００    画像処理サーバ
１０１    画像データ取得要求受付部
１０２    位置情報取得部
１０３    ユーザ属性情報取得部
１０４    画像データ記憶部
１０５    表示態様情報記憶部
１０６    最適化部
１０７    画像データ送信部
２００    ユーザ情報管理サーバ
２０１    ユーザ情報管理部
２０２    ユーザ所有端末情報記憶部
２０３    ユーザ属性情報記憶部
３００    位置情報管理サーバ
３０１    位置情報受信部
３０２    位置情報記憶部
３０３    エリア情報記憶部
３０４    無線端末関連情報記憶部
３０５    位置情報管理部
４００    無線端末
４０１    測位信号受信部
４０２    位置情報抽出部
４０３    無線端末識別情報格納部
４０４    位置情報送信部
５００    配信装置
５０１    位置情報格納部
５０２    測位信号配信部
５０３    中継部
６００    管理装置
６０１    変換部
７００    表示装置
７０１    画像出力部
８００    投影用ＰＣ
８０１    入力受付部
８０２    表示制御部
８０３    画像データ取得要求部
８０４    画像データ受信部
８０５    画像出力指示部
９００    表示端末
【先行技術文献】
【特許文献】
【０１８０】
【特許文献１】特開２０１２−０７３９４０号公報
【非特許文献】
【０１８１】
【非特許文献１】"準天頂衛星システムユーザインタフェース仕様書"、ＩＳ−ＱＺＳＳ１．４版、宇宙航空研究開発機構
【図１】
2015046016.tif 000003
【図２】
2015046016.tif 000004
【図３】
2015046016.tif 000005
【図４】
2015046016.tif 000006
【図５】
2015046016.tif 000007
【図６】
2015046016.tif 000008
【図７】
2015046016.tif 000009
【図８】
2015046016.tif 000010
【図９】
2015046016.tif 000011
【図１０】
2015046016.tif 000012
【図１１】
2015046016.tif 000013
【図１２】
2015046016.tif 000014
【図１３】
2015046016.tif 000015
【図１４】
2015046016.tif 000016
【図１５】
2015046016.tif 000017
【図１６】
2015046016.tif 000018
【図１７】
2015046016.tif 000019
【図１８】
2015046016.tif 000020
【図１９】
2015046016.tif 000021
【図２０】
2015046016.tif 000022
【図２１】
2015046016.tif 000023
【図２２】
2015046016.tif 000024
【図２３】
2015046016.tif 000025
【図２４】
2015046016.tif 000026
【図２５】
2015046016.tif 000027
【図２６】
2015046016.tif 000028
【図２７】
2015046016.tif 000029
【図２８】
2015046016.tif 000030